(57)【要約】      （修正有）【課題】発光モジュールにおける光取り出し面以外の部分が器具本体内に収められて器具本体と一体化した新規な照明器具を提供する。【解決手段】照明器具１は器具本体２０と、発光モジュール４０と、カバー６０と、取付部材１０とを備える。カバー６０は、光取り出し面６１の第１端部６１ａから器具本体２０の第１側壁部２１に沿って収容部３１内に延びる第２側壁部６２と、第２側壁部６２からカバー６０の内側に向かって突出する第１リブと、第１リブと光取り出し面６１との間の位置で第２側壁部６２からカバー６０の内側に向かって突出する第２リブ６４と、第１リブと第２リブ６４との間に位置する溝６５とを有する。発光モジュール４０は、溝６５に位置する第２端部４０ａと、第２端部４０ａから離れて位置する光源配置部４１ｂと、器具本体２０の連結部２２に向かって収容部３１内に延び、第１爪部２３に係止される第２爪部４３を有する板ばね部４８とを有する。【選択図】図２
0003232021.tif 000002
【実用新案登録請求の範囲】
【請求項１】
器具本体と、複数の光源を有する発光モジュールと、前記光源からの光に対する透光性を有するカバーと、を備える照明器具であって、
前記器具本体は、
空間を隔てて互いに対向する一対の第１側壁部であって、それぞれが内壁面に第１爪部を有する前記一対の第１側壁部と、
前記一対の第１側壁部をつなぐ連結部と、
前記連結部に対向する開口部と、
前記一対の第１側壁部と前記連結部と前記開口部とから形成される収容部と、
を有し、
前記カバーは、
前記開口部を閉塞する光取り出し面と、
前記光取り出し面の第１端部から前記第１側壁部に沿って前記収容部内に延びる一対の第２側壁部と、
前記一対の第２側壁部から前記カバーの内側に向かって突出する一対の第１リブと、
それぞれの前記第１リブと前記光取り出し面との間の位置で前記第２側壁部から前記カバーの内側に向かって突出する一対の第２リブと、
前記第１リブと前記第２リブとの間に位置する溝と、
を有し、
前記発光モジュールは、
前記溝に位置する一対の第２端部と、
前記一対の第２端部から離れて位置し、前記収容部内で前記カバーの前記光取り出し面に対向し、前記複数の光源が配置された光源配置部と、
前記器具本体の前記連結部に向かって前記収容部内に延びる一対の板ばね部であって、それぞれが前記第１爪部に係止される第２爪部を有する前記一対の板ばね部と、
を有し、
前記カバーの前記第２リブは、先端部と、前記先端部よりも厚く、前記第２側壁部に接続した根元部とを有することを特徴とする照明器具。
【請求項２】
前記カバーの前記第２側壁部の内壁面と、前記第２リブにおける前記光取り出し面と対向する面とは、鈍角を形成する請求項１に記載の照明器具。
【請求項３】
前記第２リブにおける前記光取り出し面と対向する面は、断面視において曲線である曲面である請求項１または２に記載の照明器具。
【請求項４】
前記一対の板ばね部は、前記第２端部と前記光源配置部との間から前記連結部に向かって延びている請求項１〜３のいずれか１つに記載の照明器具。
【請求項５】
前記カバーは、光拡散性を有するカバーである請求項１〜４のいずれか１つに記載の照明器具。
【請求項６】
前記カバーの前記光取り出し面は、平坦である請求項１〜５のいずれか１つに記載の照明器具。
【請求項７】
前記発光モジュールは、前記光源配置部に前記光源を配置した基板と、前記基板を支持する支持板とを有し、
前記第２端部は、前記基板の端部及び前記支持板の端部を含む請求項１〜６のいずれか１つに記載の照明器具。
【請求項８】
前記一対の第２爪部の間の距離は、前記カバーの前記一対の第２側壁部の間の距離よりも小さい請求項１〜７のいずれか１つに記載の照明器具。
【請求項９】
前記複数の光源のそれぞれは、バットウイング形の配光特性をもつ請求項１〜８のいずれか１つに記載の照明器具。
【請求項１０】
前記発光モジュールは、前記一対の板ばね部の間に位置し、前記器具本体の前記連結部に固定される支柱をさらに有する請求項１〜９のいずれか１つに記載の照明器具。
【考案の詳細な説明】
【技術分野】
【０００１】
本考案は、照明器具に関する。
【背景技術】
【０００２】
例えば天井の構造物の目隠しやデザイン性を高めるなどの目的で使われるルーバーと呼ばれる長尺の板状部材に発光モジュールを組み込み、ルーバーと照明の２つの機能を一体化させることで新しい空間演出が可能となる。
【先行技術文献】
【特許文献】
【０００３】
【特許文献１】特開２０１２−３９９３号公報
【考案の概要】
【考案が解決しようとする課題】
【０００４】
本考案は、発光モジュールにおける光取り出し面以外の部分が器具本体内に収められて器具本体と一体化した新規な照明器具を提供することを目的とする。
【課題を解決するための手段】
【０００５】
本考案の一態様によれば、照明器具は、器具本体と、複数の光源を有する発光モジュールと、前記光源からの光に対する透光性を有するカバーと、を備える。前記器具本体は、空間を隔てて互いに対向する一対の第１側壁部であって、それぞれが内壁面に第１爪部を有する前記一対の第１側壁部と、前記一対の第１側壁部をつなぐ連結部と、前記連結部に対向する開口部と、前記一対の第１側壁部と前記連結部と前記開口部とから形成される収容部と、を有する。前記カバーは、前記開口部を閉塞する光取り出し面と、前記光取り出し面の第１端部から前記第１側壁部に沿って前記収容部内に延びる一対の第２側壁部と、前記一対の第２側壁部から前記カバーの内側に向かって突出する一対の第１リブと、それぞれの前記第１リブと前記光取り出し面との間の位置で前記第２側壁部から前記カバーの内側に向かって突出する一対の第２リブと、前記第１リブと前記第２リブとの間に位置する溝と、を有する。前記発光モジュールは、前記溝に位置する一対の第２端部と、前記一対の第２端部から離れて位置し、前記収容部内で前記カバーの前記光取り出し面に対向し、前記複数の光源が配置された光源配置部と、前記器具本体の前記連結部に向かって前記収容部内に延びる一対の板ばね部であって、それぞれが前記第１爪部に係止される第２爪部を有する前記一対の板ばね部と、を有する。前記カバーの前記第２リブは、先端部と、前記先端部よりも厚く、前記第２側壁部に接続した根元部とを有する。
【考案の効果】
【０００６】
本考案によれば、発光モジュールにおける光取り出し面以外の部分が器具本体内に収められて器具本体と一体化した新規な照明器具を提供することができる。
【図面の簡単な説明】
【０００７】
【図１】実施形態の照明器具の斜視図である。
【図２】実施形態の照明器具を建材に取り付けた状態を示す断面図である。
【図３】実施形態の照明器具を分解した状態を示す断面図である。
【図４】実施形態の照明器具における複数の光源が配置された発光モジュールの平面図である。
【図５】実施形態の光源の配光特性図である。
【考案を実施するための形態】
【０００８】
以下、図面を参照し、実施形態について説明する。なお、各図面中、同じ構成には同じ符号を付している。
【０００９】
図１は、実施形態の照明器具１の斜視図である。図２は、照明器具１の断面図である。図３は、照明器具１を分解した状態を示す断面図である。図１において、Ｘ方向は照明器具１の短手方向を表し、Ｙ方向は照明器具１の長手方向を表し、Ｚ方向は照明器具１の高さ方向を表す。図２及び図３に示すＸ方向及びＺ方向は、図１に示すＸ方向及びＺ方向に対応する。
【００１０】
図１に示すように、照明器具１の外観は、長尺の四角柱状である。照明器具１のＹ方向のサイズは、３００ｍｍ〜３０００ｍｍの範囲であることが好ましく、例えば１８００ｍｍまたは９００ｍｍである。照明器具１のＸ方向のサイズは、３０ｍｍ〜２００ｍｍの範囲であることが好ましく、例えば５０ｍｍである。照明器具１のＺ方向のサイズは、３０ｍｍ〜２００ｍｍの範囲であることが好ましく、例えば５０ｍｍである。
【００１１】
図２及び図３に示すように、照明器具１は、器具本体２０と、発光モジュール４０と、カバー６０と、取付部材１０とを備える。なお、器具本体２０と取付部材１０とは別体に限らず、一体でもよい。
【００１２】
図２示すように、照明器具１は、光取り出し面６１を下方に向けて、天井または天井に設けられた構造物などの建材１００に取り付けられる。または、照明器具１は、光取り出し面６１を側方に向けて壁または壁に設けられた構造物などの建材に取り付けることもできる。ただし、照明器具１が取り付けられる建材は、天井、壁またはこれらに設けられた構造物に限定されるものではない。
【００１３】
＜器具本体＞
器具本体２０は、内部に発光モジュール４０における光取り出し面６１以外の部分が収められる。器具本体２０は、金属からなる。器具本体２０は、例えばアルミニウムからなる。器具本体２０は、図２及び図３に示すように、空間を隔てて平行にかつ互いに対向する一対の第１側壁部２１と、一対の第１側壁部２１をつなぐ連結部２２と、連結部２２に対向する開口部３０とを有する。
【００１４】
連結部２２はＸ方向において一対の第１側壁部２１をつなぎ、一対の第１側壁部２１の間の空間を、第１収容部３１と第２収容部３２とに仕切っている。一対の第１側壁部２１と、連結部２２と、開口部３０とから形成される第１収容部３１に、発光モジュール４０とカバー６０が収容される。一対の第１側壁部２１と、連結部２２と、取付部材１０とから形成される第２収容部３２に、コネクタ３６が収容される。発光モジュール４０とカバー６０が収容される第１収容部３１が、第２収容部３２よりも空間が大きくなるような位置に連結部２２がある。つまり、連結部２２は、一対の第1側壁部２１のうち、開口部３０に近い側に位置する。また、連結部２２には、電気ケーブル３７（図３に示す）を通す穴が設けられている。
【００１５】
それぞれの第１側壁部２１は、第１収容部３１に面する第１内壁面２１ａに、第１爪部２３を有する。第１爪部２３は、第１内壁面２１ａに対して傾斜した第１傾斜面２３ａと、第１傾斜面２３ａとの間に鋭角を形成して連結部２２に対向する第１係止面２３ｂとを有する。それぞれの第１爪部２３は、それぞれの第１側壁部２１のＺ方向において同じ位置にあり、発光モジュール４０の光取り出し面６１が、照明器具１が設置される建材１００の設置面と平行に設置することができる。
【００１６】
それぞれの第１側壁部２１は、第２収容部３２に面する第３内壁面２１ｂに、第３爪部２４を有する。第３爪部２４は、第３内壁面２１ｂに対して傾斜した第３傾斜面２４ａと、第３傾斜面２４ａとの間に鋭角を形成して連結部２２に対向する第３係止面２４ｂとを有する。
【００１７】
第１側壁部２１、連結部２２、第１爪部２３、及び第３爪部２４は、照明器具１のＹ方向に延びている。
【００１８】
連結部２２における第２収容部３２側の面にコネクタ用金具３５が取り付けられ、コネクタ用金具３５にコネクタ３６が取り付けられる。
【００１９】
＜カバー＞
カバー６０は、発光モジュール４０の光源４５からの光に対する透光性を有し、複数の光源４５が発光した光を照明器具１の外部に放出する。カバー６０は、例えば、樹脂材に酸化チタン等を分散させた樹脂を含み、光拡散性を有する。カバー６０は、例えば乳白色である。カバー６０の樹脂材として、例えばポリカーボネートが用いられる。または、カバーの樹脂材として、アクリルを用いてもよい。また、後述する樹脂部材の具体例をカバー６０に適用してもよい。
【００２０】
カバー６０は、器具本体２０の開口部３０に位置し、開口部３０を閉塞する光取り出し面６１を有する。光取り出し面６１は、図１に示すように矩形状である。光取り出し面６１は、図２及び図３に示す断面視からもわかるように、一定の厚みを有し、複数の光源４５が発光した光を照明器具１の外部に放出する。光取り出し面６１は外側の表面と内側の表面とを有する。光取り出し面６１の、少なくとも外側の表面が平坦である。または、光取り出し面６１の、少なくとも外側の表面が、Ｘ方向における中央部が盛り上がっていてもよいし、凹んでいてもよい。さらに光取り出し面６１の少なくとも外側の表面が、長手方向に全体的に盛り上がっていたり凹んでいてもよいし、部分的に盛り上がっていたり凹んでいてもよい。カバー６０のＸ方向の幅は、器具本体２０の開口部３０のＸ方向の幅よりも小さい。
【００２１】
カバー６０は、光取り出し面６１におけるＸ方向の一対の第１端部６１ａから、器具本体２０の第１側壁部２１に沿って第１収容部３１内に延びる一対の第２側壁部６２を有する。また、カバー６０は、第１リブ６３と、第２リブ６４と、第１リブ６３と第２リブ６４との間に位置する溝６５とを有する。この溝６５は、第１リブ６３と第２リブ６４によって形成される部分である。光取り出し面６１、第２側壁部６２、第１リブ６３、第２リブ６４、及び溝６５は、照明器具１のＹ方向に延びている。
【００２２】
一対の第１リブ６３が、一対の第２側壁部６２の第２内壁面６２ａからカバー６０の内側に向かって（他方の第２側壁部６２に向かって）、Ｘ方向に沿って突出している。第１リブ６３は、第２側壁部６２における光取り出し面６１の第１端部６１ａとは反対側の端部に位置する。
【００２３】
一対の第２リブ６４が、それぞれの第１リブ６３と光取り出し面６１との間の位置で、第２側壁部６２の第２内壁面６２ａからカバー６０の内側に向かって（他方の第２側壁部６２に向かって）、Ｘ方向に沿って突出している。第１リブ６３と第２リブ６４との間のＺ方向の距離（溝６５のＺ方向の幅）は、第２リブ６４と光取り出し面６１との間のＺ方向の距離よりも小さい。これにより、光源４５が配置される光源配置部４１ｂと光取り出し面６１との間の空間を十分確保できつつ、Ｚ方向の厚みが小さい照明器具１を得ることができる。さらに光源配置部４１ｂと光取り出し面６１との間の空間を十分確保できるので、光取り出し面６１から出る光の輝度むらを低減させることができる。
【００２４】
それぞれの第２リブ６４は、先端部６４ａと、第２側壁部６２に接続した根元部６４ｂとを有する。根元部６４ｂのＺ方向の厚さは、先端部６４ａのＺ方向の厚さよりも厚い。第２リブ６４は、先端部６４ａから根元部６４ｂに向かうにしたがって徐々にＺ方向の厚さが増大し、第２リブ６４の光取り出し面６１と対向する面は、第２側壁部６２の第２内壁面６２ａと鈍角を形成して傾斜している。また、第２リブ６４における光取り出し面６１と対向する面は、図２及び図３に示す断面視において曲線である曲面である。
【００２５】
＜発光モジュール＞
発光モジュール４０は、照明器具１の外部に光を放出する複数の光源４５が配置される部材である。発光モジュール４０は、器具本体２０の第１収容部３１内で、カバー６０の光取り出し面６１に対向し、複数の光源４５が配置された光源配置部４１ｂを有する。また、発光モジュール４０は、光源配置部４１ｂに光源４５を配置した基板４１と、基板４１を支持する支持板４２とを有する。
【００２６】
図４（ａ）及び（ｂ）は、発光モジュール４０の平面図である。
【００２７】
基板４１は矩形状であり、その長手方向は照明器具１の長手方向に沿っている。複数の光源４５が、基板４１の光源配置部４１ｂに等間隔に配置されている。図４（ａ）に長手方向に沿った３列配置を、図４（ｂ）に長手方向に沿った２列配置を示す。
【００２８】
図４（ａ）では複数の光源４５は正方格子の格子位置に配置されている。図４（ｂ）では、隣り合う光源４５が正三角格子の格子位置に配置されている。なお、２列配置の複数の光源４５を正方格子の格子位置に配置してもよく、３列配置の複数の光源４５を正三角格子の格子位置に配置してもよい。
【００２９】
光源４５は、例えばＬＥＤ（Light Emitting Diode）等の発光素子と、蛍光体層と、樹脂部材とを含む。蛍光体層は発光素子の側面と上面とを覆い、さらに樹脂部材は蛍光体層の外側面と外上面を、あるいは蛍光体層の外表面の全体を覆っている。樹脂部材において発光素子の上面の中心付近を覆う部分が凹んでおり、このような形状の樹脂部材は、光源にバットウイング形の配光特性を与えるレンズとして機能する。発光素子、蛍光体層および樹脂部材については、具体的な例をあとで詳述する。
【００３０】
図５は、１つの光源を発光させたときの、その光源の有するバットウイング形の配光特性の一例を示す図である。横軸は光源から出射される光の出射角を表し、光源が配置される光源配置面に対して垂直な方向を０°としている。縦軸は光源から出射される光の強度を表す。
【００３１】
バットウイング形の配光特性とは、出射角が０°から−９０°の範囲の領域に、出射角が０°のときの強度よりも大きい第１の強度ピークを有し、出射角が０°から９０°の範囲の領域に、出射角が０°のときの強度よりも大きい第２の強度ピークを有する配光特性である。
【００３２】
このようなバットウイング形の配光特性をもつ光源４５を用いることで、例えば本実施形態の照明器具１を、一般的な照明器具よりも小型サイズのルーバーに置き換えて用いた場合においても、複数の光源同士の間隔を大きくすることができ、光源の数を減らすことができる。そして、照明器具１は、光取り出し面６１からの輝度むらの少ない面発光を可能とする。
【００３３】
発光モジュール４０は、カバー６０の溝６５に位置する一対の第２端部４０ａを有する。第２端部４０ａは、基板４１のＸ方向の端部４１ａ及び支持板４２のＸ方向の端部４２ａを含む。光源配置部４１ｂは、一対の第２端部４０ａからＸ方向において離れて位置し、複数の光源４５を配置する１つの領域である。また、一対の第２端部４０ａは、発光モジュール４０の端面だけではなく、第１リブ６３と第２リブ６４との間に位置する溝６５に覆われる領域である。
【００３４】
基板４１は、支持板４２に例えば両面テープで貼り付けられる。基板４１及び支持板４２は、照明器具１のＹ方向に延びている。器具本体２０に取り付ける前の発光モジュール４０は、基板４１と支持板４２とが重ねられた状態で、一対の第２端部４０ａが、カバー６０の一対の溝６５に対してＹ方向に沿って挿入することで得られる。
【００３５】
また、発光モジュール４０は、器具本体２０の連結部２２に向かって第１収容部３１内を延びる一対の板ばね部４８を有する。一対の板ばね部４８は、第２端部４０ａと光源配置部４１ｂとの間から、器具本体２０の連結部２２に向かって延びている。一対の板ばね部４８は、発光モジュール４０の第２端部４０ａと光源配置部４１ｂとの境界もしくは、光源配置部４１ｂから、連結部２２に向かって伸びている。図２及び図３では、発光モジュール４０の第２端部４０ａと光源配置部４１ｂとの境界から連結部２２に向かって延びている。板ばね部４８は支持板４２に接着して設けられていても一体に設けられてもよい。板ばね部４８と支持板４２とが一体に設けられている場合は、板ばね部４８と支持板４２とをまとめて支持部材と称することがある。支持部材は板状部を有し、板状部の端部が支持板４２の端部４２ａに相当する。支持部材もしくは、板ばね部４８及び支持板４２は、金属材料からなる。支持部材もしくは、板ばね部４８及び支持板４２は、例えばアルミニウムからなる。
【００３６】
一対の板ばね部４８のそれぞれは、器具本体２０の第１爪部２３に係止される第２爪部４３を有する。それぞれの板ばね部４８における器具本体２０の第１側壁部２１に対向する外壁面４２ｂに、第２爪部４３が設けられている。第２爪部４３は、板ばね部４８の外壁面４２ｂに対して傾斜した第２傾斜面４３ａと、第２傾斜面４３ａとの間に鋭角を形成する第２係止面４３ｂとを有する。板ばね部４８及び第２爪部４３は、照明器具１のＹ方向に延びている。
【００３７】
一対の第２爪部４３のＸ方向の距離は、カバー６０の一対の第２側壁部６２の第２内壁面６２ａ間のＸ方向の距離よりも小さい。
【００３８】
また、発光モジュール４０は、一対の板ばね部４８の間に位置し、器具本体２０の連結部２２に固定される支柱５１をさらに有する。支柱４０は、発光モジュール４０の器具本体２０から予期せず落下したり外れたりすることを防止するための部材である。支柱５１は、支持板４２から連結部２２に向かってＺ方向に沿って延びている。支柱５１は、支持板４２及び基板４１に対して、例えばビスとナットの締結により固定される。または、支柱５１は、支持板４２と一体であってもよい。複数の支柱５１が、照明器具１のＹ方向に間隔を隔てて配置される。例えば、２つの支柱５１が、照明器具１の長手方向の中心を挟んで配置される。
【００３９】
＜取付部材＞
取付部材１０は、金属からなる。取り付け部材１０は、器具本体２０を建材１００に固定するための部材であり、ひいては照明器具１を建材１００に固定するための部材である。取付部材１０は、例えばアルミニウムからなる。取付部材１０は、空間を隔てて互いに対向する一対の第３側壁部１１と、一対の第３側壁部１１をつなぐ取付板１２とを有する。
【００４０】
第３側壁部１１は、取付板１２から器具本体２０の第２収容部３２内に延びている。第３側壁部１１は、板ばねである。一対の第３側壁部１１のそれぞれの外壁面１１ａに第４爪部１３が設けられている。第４爪部１３は、第３側壁部１１の外壁面１１ａに対して傾斜した第４傾斜面１３ａと、第４傾斜面１３ａとの間に鋭角を形成する第４係止面１３ｂとを有する。第３側壁部１１及び第４爪部１３は、照明器具１のＹ方向に延びている。
【００４１】
＜取付部の建材に対する取付＞
図２に示すように、取付部材１０の取付板１２が、例えば天井（または壁）などの建材１００の設置面にネジで取り付けられる。第３側壁部１１は設置面の下方（または側方）に突出する。
以上のように、本実施形態によれば、発光モジュール４０における光取り出し面６１以外の部分が器具本体２０内に収められて器具本体２０と一体化した新規な照明器具１を得ることができる。
【００４２】
＜発光モジュール及びカバーの器具本体に対する取付＞
発光モジュール４０の第２端部４０ａをカバー６０の溝６５にＹ方向に沿って移動させて挿入することで、発光モジュール４０とカバー６０は組み合わされ、１つのユニット７０を構成する。発光モジュール４０の第２端部４０ａをカバー６０の溝６５に挿入した後、カバー６０の第１リブ６３における溝６５とは反対側の面６３ａと、板ばね部４８の外壁面４２ｂとの間にテープを貼り付けて、発光モジュール４０とカバー６０とを固定してもよい。
【００４３】
ユニット７０は、器具本体２０にＺ方向に移動して挿入される。つまり器具本体２０の開口部３０から第１収容部３１に挿入される。また、発光モジュール４０の光源４５及び基板４１に形成された配線と電気的に接続された電気ケーブル３７（図３に示す）が、連結部２２に設けられた穴を通して、器具本体２０の第２収容部３２に配置されたコネクタ３６に接続されている。この接続を、ユニット７０が器具本体２０に挿入される前に行う場合は、ユニット７０を器具本体に近づけた状態で、電気ケーブル３７を器具本体２０の第１収容部３１から、連結部２２に設けられた穴を通して、第２収容部３２へ移動させ、コネクタ３６に接続する。ユニット７０が器具本体２０に挿入された後で行う場合は、第２収容部３２から、連結部２２に設けられた穴を通して、第１収容部３１にある電気ケーブル３７を第２収容部３２に引き出し、コネクタ３６に接続する。なお、コネクタ３６は建材１００に設置される電源から延びる配線と電気的に接続されるようになっている。
【００４４】
ユニット７０を、器具本体２０に、Ｚ方向に移動して挿入する際には、発光モジュール４０の第２爪部４３の第２傾斜面４３ａと、器具本体２０の第１爪部２３の第１傾斜面２３ａとの当接によるガイド作用を受けつつ、発光モジュール４０及びカバー６０を第１収容部３１内に押し込む。
【００４５】
発光モジュール４０及びカバー６０（ユニット７０）を、Ｚ方向に移動して、器具本体２０の連結部２２に近づく方向に押し込む。ユニット７０が連結部２２に近づくにつれて、一対の板ばね部４８は、Ｘ方向における内側に弾性変形する。ユニット７０が連結部２２にさらに近づくと、第２爪部４３の第２傾斜面４３ａは、第１爪部２３の第１傾斜面２３ａとの当接から外れる。第２傾斜面４３ａが第１傾斜面２３ａとの当接から外れると、図２に示すように、第２爪部４３は、第１爪部２３と連結部２２との間に位置することとなり、板ばね部４８の弾性復元力により、第２爪部４３の第２係止面４３ｂが、第１爪部２３の第１係止面２３ｂに係止する。これにより、ユニット７０が、器具本体２０の第１収容部３１内に位置決めされ、器具本体２０に対して取り付けられる。
【００４６】
さらに、ユニット７０が器具本体２０に取り付けられた後、支柱５１をビス５２により器具本体２０の連結部２２に固定してもよい。ビス５２を用いる代わりに、接着剤などで支柱５１を直接連結部２２に接着させて固定してもよい。ビス５２や接着剤を用いることにより、発光モジュール４０が器具本体２０から予期せず落下したり外れたりすることを防止することができる。また、ユニット７０と器具本体２０とが、Ｙ方向にずれることを防止することができる。ビス５２を用いる場合は、第２収容部３２側から連結部２２に形成された貫通孔を通じて、第１収容部３１に位置する支柱５１にねじ込まれる。
【００４７】
本実施形態によれば、カバー６０の第２側壁部６２に力を加えて押し込む。第２側壁部６２を押すことで、第２側壁部６２の第２内壁面６２ａから突出する第２リブ６４が発光モジュール４０の第２端部４０ａを押す。これにより、発光モジュール４０が押され、第２爪部４３が、第１爪部２３の第１係止面２３ｂと係止する位置まで押し込まれる。
【００４８】
カバー６０の第２側壁部６２に対して、その側壁面に沿った方向に力を加えることで、カバー６０の破損を抑制できる。また、板ばね部４８は、第２リブ６４が発光モジュール４０の第２端部４０ａを押す位置に近い位置にあるため、カバー６０を押し込んだ力が、板ばね部４８に効率よく作用する。
【００４９】
第２側壁部６２に力が加えられるため、第２リブ６４は第２側壁部６２に接続した根元部６４ｂの方が先端部６４ａよりも大きな力がかかりやすい。発光モジュール４０及びカバー６０を、器具本体２０の第１収容部３１に押し込む際に、樹脂材料からなるカバー６０の光取り出し面６１を手で押して力を加えると光取り出し面６１が割れるおそれがある。これに対し、本実施形態では、根元部６４ｂにおける力が加わる方向（Ｚ方向）の第２リブ６４の厚さを、先端部６４ａよりも厚くしているため、第２リブ６４に高い強度を持たせることができ、カバー６０の破損を抑制できる。
【００５０】
また、第２リブ６４の光取り出し面６１と対向する面は、第２側壁部６２の第２内壁面６２ａと鈍角を形成して傾斜し、さらに、第２リブ６４における光取り出し面６１と対向する面は、図２及び図３に示す断面視において曲線である曲面である。すなわち、第２リブ６４の光取り出し面６１と対向する面は、光源配置部４１ｂと鈍角を形成するように傾斜している。これにより、光源４５からの光の一部を、第２リブ６４によって光り取り出し面６１側に反射させやすく、光取り出し効率を向上できる。
【００５１】
第１リブ６３における溝６５の反対側の面６３ａと、第２側壁部６２の外壁面とが形成する角部は曲面に形成され、この角部は、器具本体２０の第１爪部２３における第１係止面２３ｂの反対側の面２３ｃに対向する。この第１爪部２３の面２３ｃは、第１リブ６３の角部の曲面に沿った曲面である。カバー６０を押し込むときに第１リブ６３の角部と、第１爪部２３の面２３ｃとが当たっても、曲面同士の接触であるため、第１リブ６３に過剰な力がかかることを抑制でき、第１リブ６３の破損を抑制することができる。
【００５２】
図１に示すように、器具本体２０の長手方向（Ｙ方向）の両端部には、キャップ７１が設けられる。キャップ７１は器具本体２０の両端部に、例えば接着剤により、接着して固定される。キャップ７１は、例えばカバー６０と同じ材料のものを用いることができる。
【００５３】
＜器具本体の取付部材に対する取付＞
器具本体２０の第１収容部３１に発光モジュール４０及びカバー６０を収容し、第２収容部３２側からビス５２を発光モジュール４０の支柱５１にねじ込んだ後、器具本体２０が取付部材１０に取り付けられる。
【００５４】
器具本体２０の第１側壁部２１に力を加えて、器具本体２０を取付部材１０の第３側壁部１１に沿う方向に押し込む。このとき、器具本体２０の第３爪部２４の第３傾斜面２４ａが、取付部材１０の第４爪部１３の第４傾斜面１３ａに当接する。
【００５５】
器具本体２０をさらに押し込むにしたがって、一対の第３側壁部１１がＸ方向における内側に弾性変形する。第３爪部２４の第３傾斜面２４ａが第４爪部１３の第４傾斜面１３ａとの当接から外れ、図２に示すように、第３爪部２４が第４爪部１３と建材１００の設置面との間に位置する。第３側壁部１１の弾性復元力により、第３爪部２４の第３係止面２４ｂが、第４爪部１３の第４係止面１３ｂに係止する。これにより、発光モジュール４０及びカバー６０を収容した器具本体２０が、取付部材１０を介して、建材１００に取り付けられる。
【００５６】
さらに、器具本体２０の第３爪部２４及び取付部材１０の第４爪部１３を貫通するビス５３により、器具本体２０が取付部材１０に固定され、器具本体２０が予期せず建材１００から落下したり外れたりすることを防止する。また、器具本体２０と取付部材１０とが、Ｙ方向にずれることを防止することができる。また、ユニット７０と器具本体２０とが、Ｙ方向にずれることを防止することができる。
【００５７】
カバー６０の第２側壁部６２は、器具本体２０の第１収容部３１内で、器具本体２０の第１側壁部２１に対して僅かな隙間を空けて第１側壁部２１に対向している。カバー６０の光取り出し面６１の第１端部６１ａと、器具本体２０の第１側壁部２１との間には僅かな隙間があり、光取り出し面６１は器具本体２０の開口部３０を実質的に閉塞している。
【００５８】
発光モジュール４０の光源４５は、第１収容部３１内で光り取り出し面６１に対向している。器具本体２０が小型化し、光源４５と光取り出し面６１との間の距離が短くなっても、前述したバットウイング形の配光特性をもつ光源４５を用いることで、光源４５の粒状感を抑制した輝度むらの少ない面発光を得ることができる。
【００５９】
本実施形態によれば、器具本体２０の中に発光モジュール４０を組み込むことで、ルーバーと照明とが一体となった照明器具が構成される。この場合、照明器具とルーバーのそれぞれを別々に施工する必要がない。この点で、施工性にも優れた照明器具を得ることができる。本実施形態によれば、器具本体２０の第１側壁部２１に覆われるように、器具本体２０内に発光モジュール４０及びカバー６０の第２側壁部６２が収められ、器具本体２０の第１側壁部２１とカバー６０の光取り出し面６１とで矩形をなした小型の照明一体型のルーバーを得ることができる。例えば本実施形態の照明器具１を、建材に設置することで、デザイン性に優れた照明器具とすることができる。一般の照明器具に対してルーバーは幅が小さい。ルーバーのような幅の小さい部材において、建材に対する設置面の反対側の面の全面を光らせることができる。
【００６０】
以下、その他の部材の材料について説明する。
【００６１】
発光素子の具体例を挙げる。発光素子は、半導体積層体を含む。さらにサファイアなどの基板を有してもよい。
【００６２】
半導体積層体は、ｎ型半導体層およびｐ型半導体層と、これらに挟まれた発光層とを含む。発光層は、ダブルヘテロ接合または単一量子井戸(ＳＱＷ)等の構造を有していてもよいし、多重量子井戸(ＭＱＷ)のようにひとかたまりの活性層群をもつ構造を有していてもよい。半導体積層体は、可視光または紫外光を発光可能に構成されている。このような発光層を含む半導体積層体は、例えばＩｎｘＡｌｙＧａ１−ｘ−ｙＮ（０≦ｘ、０≦ｙ、ｘ＋ｙ≦１）を含むことができる。
【００６３】
半導体積層体は、ｎ型半導体層とｐ型半導体層との間に１つ以上の発光層を含む構造を有していてもよいし、ｎ型半導体層と発光層とｐ型半導体層とを順に含む構造が複数回繰り返された構造を有していてもよい。半導体積層体が複数の発光層を含む場合、発光ピーク波長が異なる発光層を含んでいてもよいし、発光ピーク波長が同じ発光層を含んでいてもよい。なお、発光ピーク波長が同じとは、数ｎｍ程度のばらつきがある場合も含む。複数の発光層の間の発光ピーク波長の組み合わせは、適宜選択することができる。例えば半導体積層体が２つの発光層を含む場合、青色光と青色光、緑色光と緑色光、赤色光と赤色光、紫外光と紫外光、青色光と緑色光、青色光と赤色光、または、緑色光と赤色光などの組み合わせで発光層を選択することができる。各発光層は、発光ピーク波長が異なる複数の活性層を含んでいてもよいし、発光ピーク波長が同じ複数の活性層を含んでいてもよい。
【００６４】
蛍光体層は、少なくとも蛍光体を含む。
蛍光体の具体例を挙げる。蛍光体としては、イットリウム・アルミニウム・ガーネット系蛍光体（例えば、Ｙ３（Ａｌ，Ｇａ）５Ｏ１２：Ｃｅ）、ルテチウム・アルミニウム・ガーネット系蛍光体（例えば、Ｌｕ３（Ａｌ，Ｇａ）５Ｏ１２：Ｃｅ）、テルビウム・アルミニウム・ガーネット系蛍光体（例えば、Ｔｂ３（Ａｌ，Ｇａ）５Ｏ１２：Ｃｅ）、ＣＣＡ系蛍光体（例えば、Ｃａ１０（ＰＯ４）６Ｃｌ２：Ｅｕ）、ＳＡＥ系蛍光体（例えば、Ｓｒ４Ａｌ１４Ｏ２５：Ｅｕ）、クロロシリケート系蛍光体（例えば、Ｃａ８ＭｇＳｉ４Ｏ１６Ｃｌ２：Ｅｕ）、βサイアロン系蛍光体（例えば、（Ｓｉ，Ａｌ）３（Ｏ，Ｎ）４：Ｅｕ）、α系サイアロン蛍光体（例えば、Ｃａ（Ｓｉ，Ａｌ）１２（Ｏ，Ｎ）１６：Ｅｕ）、ＳＬＡ系蛍光体（例えば、ＳｒＬｉＡｌ３Ｎ４：Ｅｕ）、ＣＡＳＮ系蛍光体（例えば、ＣａＡｌＳｉＮ３：Ｅｕ）若しくはＳＣＡＳＮ系蛍光体（例えば、（Ｓｒ，Ｃａ）ＡｌＳｉＮ３：Ｅｕ）等の窒化物系蛍光体、ＫＳＦ系蛍光体（例えば、Ｋ２ＳｉＦ６：Ｍｎ）、ＫＳＡＦ系蛍光体（例えば、Ｋ２（Ｓｉ，Ａｌ）Ｆ６：Ｍｎ）若しくはＭＧＦ系蛍光体（例えば、３．５ＭｇＯ・０．５ＭｇＦ２・ＧｅＯ２：Ｍｎ）等のフッ化物系蛍光体、ペロブスカイト構造を有する蛍光体（例えば、ＣｓＰｂ（Ｆ，Ｃｌ，Ｂｒ，Ｉ）３）、又は、量子ドット蛍光体（例えば、ＣｄＳｅ、ＩｎＰ、ＡｇＩｎＳ２又はＡｇＩｎＳｅ２）等を用いることができる。
【００６５】
光源の樹脂部材の具体例を挙げる。樹脂部材は、耐熱性、耐候性、及び耐光性に優れた樹脂を含む。このような樹脂としては、例えば、シリコーン樹脂、変性シリコーン樹脂、エポキシ樹脂、変性エポキシ樹脂、ユリア樹脂、フェノール樹脂、アクリル樹脂、ウレタン樹脂もしくはフッ素樹脂、又は、これらの樹脂の２種以上を含む樹脂が挙げられる。また、樹脂部材には、所定の機能を持たせるため、フィラー、拡散剤、顔料、蛍光物質からなる群から選択される少なくとも１種を混合することができる。拡散剤としては、チタン酸バリウム、酸化チタン、酸化アルミニウム、酸化珪素等を好適に用いることができる。また、封止部材３０は、所望外の波長をカットする目的で、有機や無機の着色染料や着色顔料を含有してもよい。さらに、蛍光体の粒子を含有してもよい。
【００６６】
以上、具体例を参照しつつ、本考案の実施形態について説明した。しかし、本考案は、これらの具体例に限定されるものではない。本考案の上述した実施形態を基にして、当業者が適宜設計変更して実施し得る全ての形態も、本考案の要旨を包含する限り、本考案の範囲に属する。その他、本考案の思想の範疇において、当業者であれば、各種の変更例及び修正例に想到し得るものであり、それら変更例及び修正例についても本考案の範囲に属するものである。
【符号の説明】
【００６７】
１…照明器具、１０…取付部材、１１…第３側壁部、１３…第４爪部、２０…器具本体、２１…第１側壁部、２２…連結部、２３…第１爪部、２４…第３爪部、３０…開口部、３１…収容部、４０…発光モジュール、４０ａ…第２端部、４１…基板、４１ｂ…光源配置部、４２…支持板、４３…第２爪部、４５…光源、４８…板ばね部、５１…支柱、６０…カバー、６１…光取り出し面、６１ａ…第１端部、６２…第２側壁部、６３…第１リブ、６４…第２リブ、６４ａ…先端部、６４ｂ…根元部、６５…溝、７０…ユニット。
【図１】
0003232021.tif 000003
【図２】
0003232021.tif 000004
【図３】
0003232021.tif 000005
【図４】
0003232021.tif 000006
【図５】
0003232021.tif 000007